(57)【要約】      （修正有）【課題】取水路、小運河、農業用水路、池等の水底に堆積しているヘドロ、土砂等を浚渫して地上に排出するもので、土砂回収の作業効率が良い浚渫用水中チャンバーを提供する。【解決手段】水中電動ブルドーザーの前頭部に装備された鋼板製の長方体形状の４車輪付き水中チャンバー１であり、内部は、手前側のＡ部屋と奥側のＢ部屋とに、格子状の隔壁１４で仕切られ、且つ、同二部屋の上部位はＡ部屋からＢ部屋に流水するように開口される。Ａ部屋の内部には水底に向かって圧力水を噴射する複数の第１水中噴射ノズル２ａが最下部位の四角形体の四辺上に装備され、又、複数の第２水中噴射ノズル２ｂが最上部位の天井内部位の開口部に装備される。又、別の複数の第２水中噴射ノズル２ｂは同Ｂ部屋の天井内部の下部位に装備され、更に、複数の水中噴射ノズル２ｃが２箇所のポンプ吸込口３の外周部位に同格子状ストレーナーの外部位より同Ａ部屋の内部位に向かって装備される。【選択図】図２
0003191448.tif 000002
【実用新案登録請求の範囲】
【請求項１】
水底に堆積したヘドロ、土砂等を浚渫する目的で水中浚渫ブルドーザーの前頭部（ヘッド）に装備された長方体形状（ボックス形状）の車輪付き水中チャンバー（Ｃｈａｍｂｅｒ）（１）。
【請求項２】
当該水中チャンバーの内部は二部屋のＡ部屋とＢ部屋に仕切られている。それぞれの部屋には複数の水中噴射ノズルが装備されている。同Ａ部屋はその底部位の４辺上に同ヘドロ、土砂等の撹拌用の複数の水中噴射ノズル（２ａ）が備えられている。更に、同Ａ部屋の後部側面部位には、後述の接続開口部（３）に取付けられる逆噴射用の水中噴射ノズル（２ｃ）を備えて居る。同Ａ部屋と同Ｂ部屋の天井部位は流水するように繋がり開口されて居り、同天井の下部位には小浮遊物（ビニール、布切れ、木片等）（１７）を同Ｂ部屋に圧送する為の複数の水中噴射ノズル（２ｂ）を備えて居る。以上の機構、並びに、水中噴射ノズルを具備した請求項１の水中チャンバー（１）。
【請求項３】
上述の請求項２の水中噴射ノズルに圧力水を送る為の２台の増圧器付き水中電動ポンプ（４）を備え、且つ、同Ａ部屋の後部側面に同水中電動ブルドーザーに搭載の土砂排出用のノン・クロッグポンプ（１８）の吸込口との接続開口部（３）を備えた請求項１の水中チャンバー（１）。
【考案の詳細な説明】
【技術分野】
【０００１】取水路、小運河、農業用水路、池等の水底に堆積しているヘドロ、土砂等を浚渫して地上に排出する目的で水中電動ブルドーザーの前頭部（ヘッド）に装備された浚渫用水中チャンバー関わるものである。
【背景技術】
【０００２】水底に堆積している土砂を浚渫する目的の技術は水中排砂ロボット（実開平６−４９３００）、或いは、同目的の水陸両用清掃装置（特許第４５２１９８６号）により公知である。
【特許文献】
【０００３】
【特許文献１】特許第４５２１９８６号
【非特許文献】
【０００４】
【非特許文献１】実開平６−４９３００号
【考案の概要】
【考案が解決しようとする課題】
【０００５】然しながら、特許第４５２１９８６号を例として集砂用、或いは、集泥用のローターのスクリュー式ブレードには運転中に水底に沈下しているロープ、ワイヤーの絡みつき、或いは、同ブレードのスパン（羽幅間）に水中の石ころが噛み付いて運転停止状態になり作業能率を低下させている。
一方、実開平６−４９３００号を例として、高圧ホースに依って圧力水を水底土砂にジェット噴射させて吸引ポンプで土砂水を排出させる方式であるが、水中に於いて土砂が広範囲に撹拌するので土砂回収の作業効率が低い。叉、取水路に於いては流水状態にある為に撹拌土砂が流水と一緒に流れて当流水を利用している施設に悪影響を及ぼす。
【課題を解決する為の手段】
【０００６】そこで、本考案は、以上の課題を排除するために同ローターを無くした構造の水中チャンバー（Ｃｈａｍｂｅｒ）方式を採用したものである。代表図（図１）を参照。
【０００７】本考案の水中チャンバー（１）方式は、長方体形状（ボックス形状）を成したものを水中電動ブドーザーの前頭部に取付けて動作するものである。同ボックス内部の底面部位に水底に堆積したヘドロや土砂等に向かってジェット噴射する複数の水噴射ノズル（２ａ）を取付けた構造になっている。同ブルドーザーが水底を運転走行中は同噴射ノズルから圧力水が噴射されて同堆積物が同ボックス内で撹拌されて、同チャンバーの後部側面部位に設けられている２箇所のポンプ接続開口部（３）から水と同堆積物が吸い出される機構を持たせた構造の水中チャンバーである。
水中チャンバーの概略寸法は下記とする。
横幅：１．０〜１．５ｍ．縦幅：０．６〜０．８ｍ．高さ：０．５〜０．８ｍ．
【０００８】更に、同ボックスの内部はＡ部屋とＢ部屋の２部屋に仕切られた構造になって居り、同２部屋は細めの格子の隔壁（１４）によって仕切られている。同ボックスの天井部位は流水するように繋がり開口されている。そして、同ボックスの上部位には同じく複数の水噴射ノズル（２ｂ）が取付けられている。Ａ部屋は水底の堆積物を水噴射ノズルに依って撹拌する専用の部屋で、Ｂ部屋は水中に浮遊している小浮遊物（ビニール、布切れ、木片等）を集積する部屋であり、同部屋の水噴射ノズル（２ｂ）から噴射された圧力水によって同小浮遊物はＢ部屋に圧送されて集積される構造になっている。
【０００９】同水中チャンバーの外部位上面には同圧力水を送る為の２台（Ａ号機、Ｂ号機）の水中電動ポンプ（４）が具備されている。Ａ号機は、同ボックス底面部位の同水噴射ノズル（２ａ）、及び同チャンバーの後部位側面の接続開口部に設けられる逆噴射ノズル（２ｃ）に供されるもので、Ｂ号機は同ボックスの内部上部位に取付けられた同水噴射ノズル（２ｂ）に供されるものである。同水中電動ポンプの吐出側には増圧器を備え同増圧器の吐出圧力は、５〜７Ｍｐａ．とする。
【００１０】上述の２箇所のポンプ接続開口部のそれぞれの外周部には水中ＴＶカメラ（１２）と照明燈（１３）が設けられて同ブルドーザーの地上の制御室にモニタリングする機構になっている。同接続開口部（１３）には格子状のストレーナーが設けられているがビニール、布切れ等が付着して吸込み機能の障害になった時は同モニターによる目視乃至ポンプ出口圧力のセンサーによる圧力低下の検知により警報ブザーが発せられて同吸込口に設けられた逆噴射用水ノズル（２ｃ）から圧力水をジェット噴射させることに依って同障害物を除去する機構を持たせている。尚、同逆噴射用水ノズルの圧送水は水中電動ポンプのＡ号機の配管に設けられた２方切替電磁弁の遠方切替操作に依って行われる。逆噴射用水ノズルを作動させる時（同電磁弁の切替操作によってＡ部屋の撹拌用噴射ノズル２ａは噴射停止）は、同ブルドーザーは運行停止状態にして、同時に、同水中電動ポンプ（Ｂ号機）を作動させて水噴射ノズル（２ｂ）により小浮遊物をＢ部屋に圧送する機構を持たせたものである。
【００１１】同水中チャンバーの外部下位の四隅にはそれぞれ放射線状の車輪（５）が設けられて水底がデコボコであったり、水中に沈下している石ころ等が有った場合には容易に跨いで走行できる構造になって居る。更に、同ボックスの最下部の四面部位には運転時に撹拌水が出来るだけ外部に漏れない様にナイロンブラシ（９）で囲う構造に成っている。
【００１２】同水中チャンバーの前頭部の下部には衝突の衝撃吸収用のダンパー（６）が設けられて居り、更に、同前頭部の四方四隅の部位には衝突回避センサー（２０）が設けられており、走行時、前方の障害物に接近した折に操作室に於いて警報を発し、一時運転走行を停止する機構を備えている。
【００１３】同水中チャンバーの上部四隅にはエアー抜き弁（８）が設けられて居る。同チャンバーの水中降下時に同部屋内の空気を排気する弁である。
【００１４】同水中電動ブルドーザーには土砂排出用のノン・クロッキング（Ｎｏｎ  Ｃｌｏｇｇｉｎｇ）ポンプ（１８）が搭載されて居り、同ポンプの吸込みノズルは同水中チャンバーの後部位側面に設けられている２箇所の土砂排出接続口に分岐接続されている。同ノン・クロッキングポンプの出口ノズルには土砂排出ホースと接続する為の回転ベンド管（１９）（手押しポンプの吐出し回転ノズル管と同じ機構のもの）を設ける。同回転ベンド管は吐出ホースとの関連で同水中ブルドーザーの走行を容易にする為である。
【００１５】同水中電動ブルドーザーの中心（重心）部にはクレーン車による荷揚げ、荷下げ用の堅牢なフック付の伸縮自在支柱（２１）を設けるものである。伸縮自在にする目的は、同ブルドーザーの運行時に同支柱を下げることに依って、上述の回転ベンド管の回転の妨げにならぬ様にするためである。
【図面の簡単な説明】
【００１６】
【図１】浚渫用水中チャンバーの斜視図
【図２】構造図
【図３】Ｈ−Ｈ断面図
【図４】Ｆ−Ｆ断面図
【図５】側面図
【図６】正面図
【図７】平面図
【図８】側面図、水中チャンバー付水中電動ブルドーザー
【図９】平面図、水中チャンバー付水中電動ブルドーザー
【符号の説明】
【００１７】１    水底撹拌ルーム（Ａ部屋）
２ａ  水噴射ノズル（Ａ部屋下部取付け撹拌用）
２ｂ  水噴射ノズル（Ａ，Ｂ部屋上部取付け圧送用）
２ｃ  水噴射ノズル（Ａ部屋取付け逆噴射用）
３    ポンプ吸込口
４    水中電動ポンプ（増圧器付き）、噴射ノズルへの送水用
５    車輪
６    ダンパー（衝撃吸収用）
７    小浮遊物集積ルーム（Ｂ部屋）
８    エアーベントバルブ
９    ナイロンブラシ
１０  閉扉支え具
１１  チャンバー上部斜め格子
１２  水中ＴＶカメラ
１３  照明燈
１４  隔壁（格子付き）
１５  チャンバー内部点検扉
１６  小浮遊物取出し扉
１７  水中小浮遊物（ビニール片、布切れ、木片等）
１８  ノン・クロッキングポンプ
１９  回転ベンド管
２０  衝突防止センサー
２１  伸縮自在支柱、水中電動ブルドーザー吊り上げ、吊り下げ用
２２  水中電動ブルドーザー
（斜視図に於けるブドーザー本体は、Ｄ社のものを模写したものである）
【図１】
0003191448.tif 000003
【図２】
0003191448.tif 000004
【図３】
0003191448.tif 000005
【図４】
0003191448.tif 000006
【図５】
0003191448.tif 000007
【図６】
0003191448.tif 000008
【図７】
0003191448.tif 000009
【図８】
0003191448.tif 000010
【図９】
0003191448.tif 000011
【手続補正書】
【提出日】平成25年11月25日(2013.11.25)
【手続補正１】
【補正対象書類名】実用新案登録請求の範囲
【補正対象項目名】全文
【補正方法】変更
【補正の内容】
【実用新案登録請求の範囲】
【請求項１】
水底に堆積したヘドロ、土砂等を浚渫する目的で水中電動ブルドーザー（２２）の前頭部に装備された鋼板製の長方体形状の４車輪付き水中チャンバー（１）が当該新案の主体を成す装置であり、同水中チャンバーの内部はＡ部屋とＢ部屋の二部屋に仕切られて居り、且つ、同二部屋の上部位はＡ部屋からＢ部屋に流水するように開口されて居り、同水中チャンバーの内部には水底の同堆積物を撹拌する目的で水底に向かって圧力水を噴射する複数の水中噴射ノズル（２ａ）と、同水中チャンバー内部に浮遊するビニール、布切れ、木片等の小浮遊物（１７）をＡ部屋からＢ部屋に水流で圧送する為の水中噴射ノズル（２ｂ）と、更に、同水中チャンバーの後部側面に設けられている２箇所のポンプ吸込口（３）の格子状ストレーナーの詰まりを除去する水中逆噴射ノズル（２ｃ）が装備されて居り、且つ、前記水中チャンバーの前頭側面部にはバンパーと水中運行時に於ける障害物衝突防止用としての衝突防止センサー（２０）を備えた特徴を持つ浚渫用水中チャンバー。
【請求項２】
請求項１の噴射ノズル（ａ），（ｂ），（ｃ）への送水は同じく請求項１の水中チャンバーの天井外部に装備された２基の増圧器付水中電動ポンプの稼動に依って行われる機構とし、請求項１の衝突防止センサー（２０）が衝突物を検知して前記ブルドーザーが運行停止した時は自動的に同水中電動ポンプは駆動停止して同噴射ノズルからの圧力水噴射も停止する機構を持たせた請求項１記載の浚渫用水中チャンバー。
【請求項３】
請求項１の水中チャンバー付水中電動ブルドーザーを水中に沈下させる時、或いは、水中より引き上げる時に動作するエアー・ベントバルブを当該水中チャンバーの上部四隅に付属せしめて、更に、請求項１の噴射ノズル（２ａ），（２ｂ），（２ｃ）が作動中は、同水中チャンバー内部の撹拌水が極力、外部に流出することを防ぐために同水中チャンバーの下部四辺上に歯ブラシ状にナイロンブラシ（９）の毛束を植毛した構造とした請求項１記載の浚渫用水中チャンバー。
【請求項４】
請求項１の水中チャンバーに於ける２箇所のポンプ吸込口（３）には請求項１に於いて記載されて居る水中電動ブルドーザーに搭載のノン・クロッキングポンプ（１８）の吸込み口が接続されるもので、同吸込口（３）には格子状のストレーナーが装備されて居り同ストレーナーの詰まりの情況を外部にモニターする為の水中ＴＶカメラ（１２ａ）及び、同ストレーナーを照明する為の照明燈（１３）を装備した請求項１記載の浚渫用水中チャンバー。
【手続補正書】
【提出日】平成26年2月10日(2014.2.10)
【手続補正１】
【補正対象書類名】実用新案登録請求の範囲
【補正対象項目名】全文
【補正方法】変更
【補正の内容】
【実用新案登録請求の範囲】
【請求項１】
水底に堆積したヘドロ、土砂等を浚渫する目的で水中電動ブルドーザー（２２）の前頭部に装備された鋼板製の長方体形状の４車輪付き水中チャンバー（１）が本考案の主体を成す装置であり、同水中チャンバー（１）の内部は同水中電動ブルドーザーより見て横割りの二つの部屋に格子状の隔壁で仕切られて居り（同水中電動ブルドーザーより見て前方の部屋をＢ部屋と云い、後方の部屋をＡ部屋と云う）、且つ、同二部屋の上部位はＡ部屋からＢ部屋に流水するように開口されて居り、同水中チャンバー（１）のＡ部屋の内部には水底に堆積したヘドロ、土砂等を撹拌する目的で水底に向かって圧力水を噴射する複数の水中噴射ノズル（２ａ）が同長方体形状の最下部位の四角形体の四辺上に装備され、又、同Ａ部屋の内部に浮遊するビニール等のプラスチック類、布切れ、木片等の小浮遊物（１７）をＡ部屋からＢ部屋に水流で圧送する為の複数の水中噴射ノズル（２ｂ）が同長方体形状の最上部位の天井内部位の開口部に装備されて居り、これ等の水中噴射ノズル（２ｂ）は上記のＡ部屋からＢ部屋に流水を圧送することを目的として同水中噴射ノズル（２ｂ）の噴射の方向はＡ部屋からＢ部屋とし、又、別の複数の水中噴射ノズル（２ｂ）は同Ｂ部屋の天井内部の下部位に装備され、Ａ部屋から圧送されて来た同小浮遊物（１７）を含む流水を同Ｂ部屋の下部位に圧送する為にその同水中噴射ノズル（２ｂ）の噴射の方向はＢ部屋の上部位より同Ｂ部屋の低面部位に向かって装備されて居り、更に、同水中チャンバー（１）のＡ部屋の後部内部側面に設けられている２箇所のポンプ吸込口（３）の格子状ストレーナー（３ｂ）の詰まりを除去する目的で複数の水中噴射ノズル（２ｃ）が同２箇所のポンプ吸込口（３）の外周部位に同格子状ストレーナーの外部位より同Ａ部屋の内部位向かって装備された浚渫用水中チャンバー。
【請求項２】
前記水中噴射ノズル（２ａ），水中噴射ノズル（２ｂ），及び水中噴射ノズル（２ｃ）への送水は前記水中チャンバー（１）の天井外部位に装備された２基の増圧器付水中電動ポンプ（４）の稼動に依って行われる機構を備え、更に、同水中チャンバー（１）の前頭側面部位にはバンパー（６）と水中運行時に於ける障害物衝突防止用としての衝突防止センサー（２０）を備え、同衝突防止センサーが衝突物を検知して前記水中電動ブルドーザー（２２）が運行停止した時は自動的に同水中電動ポンプ（４）は駆動停止して前記水中噴射ノズル（２ａ）、水中噴射ノズル（２ｂ）、並びに、水中噴射ノズル（２ｃ）噴射ノズルからの圧力水噴射も停止する機構を持たせ、前記水中電動ブルドーザー（２２）が再起動して浚渫作業を開始した時は自動的に前記２基の増圧器付水中電動ポンプ（４）は運転を再開して前記水中噴射ノズル（２ａ），水中噴射ノズル（２ｂ），及び水中噴射ノズル（２ｃ）へ圧力水を送水するように自動運転をＰＣプログラミングさせた請求項１記載の浚渫用水中チャンバー。
【請求項３】
前記水中チャンバー付水中電動ブルドーザー（２２）を水中に沈下させる時、或いは、水中より引き上げる時に動作するエアー・ベントバルブ（８）を前記水中チャンバー（１）の上部位の四隅に付属せしめて、そして、前記水中噴射ノズル（２ａ），水中噴射ノズル（２ｂ），及び水中噴射ノズル（２ｃ）が動作中は、同水中チャンバー（１）の内部の撹拌水が極力、外部に流出することを防ぐために同水中チャンバーの下部位の四辺上に歯ブラシ状にナイロンブラシ（９）の毛束を水底方向に植毛した構造とした請求項１記載の浚渫用水中チャンバー。
【請求項４】
前記水中チャンバー（１）に於ける前記Ａ部屋の２箇所のポンプ吸込口（３）には前記水中電動ブルドーザー（２２）に搭載のノン・クロッキングポンプ（１８）の吸込み口が接続されるもので、前記２箇所のポンプ吸込口（３）には格子状のストレーナー（３ａ）が装備されて居り同ストレーナーの詰まりの情況を外部にモニターする為の水中ＴＶカメラ（１２）及び、同ストレーナーを照明する為の照明燈（１３）を装備した請求項１記載の浚渫用水中チャンバー。
【手続補正３】
【補正対象書類名】明細書
【補正対象項目名】００１７
【補正方法】変更
【補正の内容】
【００１７】１    水底撹拌ルーム（Ａ部屋）
２ａ  水噴射ノズル（Ａ部屋下部取付け撹拌用）
２ｂ  水噴射ノズル（Ａ，Ｂ部屋上部取付け圧送用）
２ｃ  水噴射ノズル（Ａ部屋取付け逆噴射用）
３    ポンプ吸込口
３ａ  格子状ストレーナー
４    水中電動ポンプ（増圧器付き）、噴射ノズルへの送水用
５    車輪
６    ダンパー（衝撃吸収用）
７    小浮遊物集積ルーム（Ｂ部屋）
８    エアーベントバルブ
９    ナイロンブラシ
１０  開閉扉支え具
１１  チャンバー上部斜め格子
１２  水中ＴＶカメラ
１３  照明燈
１４  隔壁（格子付き）
１５  チャンバー内部点検扉
１６  小浮遊物取出し扉
１７  水中小浮遊物（ビニール片、布切れ、木片等）
１８  ノン・クロッキングポンプ
１９  回転ベンド管
２０  衝突防止センサー
２１  伸縮自在支柱、水中電動ブルドーザー吊り上げ、吊り下げ用
２２  水中電動ブルドーザー
（斜視図に於けるブドーザー本体は、Ｄ社のものを模写したものである）
【手続補正４】
【補正対象書類名】図面
【補正対象項目名】全図
【補正方法】変更
【補正の内容】
【図１】
0003191448.tif 000012
【図２】
0003191448.tif 000013
【図３】
0003191448.tif 000014
【図４】
0003191448.tif 000015
【図５】
0003191448.tif 000016
【図６】
0003191448.tif 000017
【図７】
0003191448.tif 000018
【図８】
0003191448.tif 000019
【図９】
0003191448.tif 000020
【手続補正書】
【提出日】平成26年4月7日(2014.4.7)
【手続補正１】
【補正対象書類名】実用新案登録請求の範囲
【補正対象項目名】全文
【補正方法】変更
【補正の内容】
【実用新案登録請求の範囲】
【請求項１】
水中電動ブルドーザー（２２）の前頭部に装備された鋼板製の長方体形状の４車輪付き水中チャンバー（１）であり、同水中チャンバー（１）の内部は、同水中ブルドーザー（２２）より見て手前側のＡ部屋と奥側のＢ部屋とに、格子状の隔壁で仕切られており、且つ、同二部屋の上部位はＡ部屋からＢ部屋に流水するように開口されており、同水中チャンバー（１）のＡ部屋の内部には水底に向かって圧力水を噴射する複数の第１水中噴射ノズル（２ａ）が同長方体形状の最下部位の四角形体の四辺上に装備され、又、同Ａ部屋の内部に浮遊する小浮遊物（１７）をＡ部屋からＢ部屋に水流で圧送する為の複数の第２水中噴射ノズル（２ｂ）が同長方体形状の最上部位の天井内部位の開口部に装備されており、これらの第２水中噴射ノズル（２ｂ）の噴射の方向はＡ部屋からＢ部屋とし、又、別の複数の第２水中噴射ノズル（２ｂ）は同Ｂ部屋の天井内部の下部位に装備され、Ａ部屋から圧送されて来た同小浮遊物（１７）を含む流水を同Ｂ部屋の可部位に圧送する為にその同第２水中噴射ノズル（２ｂ）の噴射の方向はＢ部屋の上部位より同Ｂ部屋の底面部位に向かって装備されており、更に、複数の水中噴射ノズル（２ｃ）が２箇所のポンプ吸込口（３）の外周部位に同格子状ストレーナーの外部位より同Ａ部屋の内部位に向かって装備された浚渫用水中チャンバー。
【請求項２】
前記第１水中噴射ノズル（２ａ）、第２水中噴射ノズル（２ｂ）、及び第３水中噴射ノズル（２ｃ）への送水は前記水中チャンバー（１）の天井外部位に装備された２基の増圧器付水中電動ポンプ（４）の稼動に依って行われる機構を備え、更に、同水中チャンバー（１）の前頭側面部位にはバンパー（６）と水中運行時に於ける障害物衝突防止用としての衝突防止センサー（２０）を備え、同衝突防止センサーが障害物を検知して前記水中電動ブルドーザー（２２）が運行停止した時は自動的に同水中電動ポンプ（４）は駆動停止して前記第１水中噴射ノズル（２ａ）、第２水中噴射ノズル（２ｂ）、並びに、第３水中噴射ノズル（２ｃ）からの圧力水噴射も停止する機構を持たせ、前期水中電動ブルドーザー（２２）が再起動して浚渫作業を開始した時は自動的に前記２基の増圧器付水中電動ポンプ（４）は運転を再開して前記第１水中噴射ノズル（２ａ）、第２水中噴射ノズル（２ｂ）、及び第３水中噴射ノズル（２ｃ）へ圧力水を送水するように自動運転をＰＣプログラミングさせた請求項１記載の浚渫用水中チャンバー。
【請求項３】
前記水中チャンバー付電動ブルドーザー（２２）を水中に沈下させる時、或いは、水中より引き上げる時に動作するエアー・ベントバルブ（８）を前記水中チャンバー（１）の上部位の四隅に付属せしめて、そして、前記第１水中噴射ノズル（２ａ）、第２水中噴射ノズル（２ｂ）、及び第３水中噴射ノズル（２ｃ）が動作中は、同水中チャンバー（１）の内部の撹拌水が極力、外部に流出することを防ぐために同水中チャンバー（１）の下部位の四辺上に歯ブラシ状にナイロンブラシ（９）の毛束を水底方向に植毛した構造とした請求項１記載の浚渫用水中チャンバー。
【請求項４】
前記水中チャンバー（１）に於ける前記Ａ部屋の２箇所のポンプ吸込口（３）には前記水中電動ブルドーザー（２２）に搭載のノン・クロッギングポンプ（１８）の吸込み口が接続されるもので、前記２箇所のポンプ吸込口（３）には格子状のストレーナー（３ａ）が装備されて居り同ストレーナーの詰まりの情況を外部にモニターする為の水中ＴＶカメラ（１２）及び、同ストレーナーを照明する為の照明燈（１３）を装備した請求項１記載の浚渫用水中チャンバー。